(57)【特許請求の範囲】
【請求項１】
無線通信システムにおける端末が周波数測定（Ｆｒｅｑｕｅｎｃｙ  Ｍｅａｓｕｒｅｍｅｎｔ）を実行する方法において、
サービングセルから少なくとも一つの隣接周波数の優先順位を受信し、
特定の隣接周波数に対する再分散要素（Ｒｅｄｉｓｔｒｉｂｕｔｉｏｎ  Ｆａｃｔｏｒ）と前記特定の隣接周波数に関連したセルのリストを含む、分散パラメータ（Ｄｉｓｔｒｉｂｕｔｉｏｎ  Ｐａｒａｍｅｔｅｒ）を前記サービングセルから受信し、
前記分散パラメータは前記特定の隣接周波数に対して設定され、
前記分散パラメータに基づいて、前記サービングセルの品質に関わらず、前記分散パラメータが設定される前記特定の隣接周波数に対する周波数測定を実行し、
前記特定の隣接周波数の優先順位は、前記サービングセルの属するサービング周波数の優先順位以下である、方法。
【請求項２】
前記サービングセルの品質は、前記サービングセルのセル選択ＲＸレベル（Ｓｒｘｌｅｖ；Ｃｅｌｌ  ｓｅｌｅｃｔｉｏｎ  ＲＸ  ｌｅｖｅｌ）値及び前記サービングセルのセル選択品質（Ｓｑｕａｌ；Ｃｅｌｌ  ｓｅｌｅｃｔｉｏｎ  ｑｕａｌｉｔｙ）の少なくとも一つを含む、請求項１に記載の方法。
【請求項３】
前記周波数測定は、前記サービングセルがセル選択条件を満たすかに関わらず前記特定の隣接周波数に対して実行される、請求項２に記載の方法。
【請求項４】
前記サービングセルのセル選択条件は、前記サービングセルのＳｒｘｌｅｖ値が最初の閾値より大きく、且つ、前記サービングセルのＳｑｕａｌ値が２番目の閾値より大きいような条件である、請求項３に記載の方法。
【請求項５】
前記少なくとも一つの隣接周波数は、インター（ｉｎｔｅｒ）周波数またはインターＲＡＴ周波数である、請求項１に記載の方法。
【請求項６】
前記周波数測定は、前記リストに含まれる前記セルが属する前記特定の隣接周波数に対して実行される、請求項１に記載の方法。
【請求項７】
前記少なくとも一つの隣接周波数は、インター（ｉｎｔｅｒ）周波数またはインターＲＡＴ周波数である、請求項６に記載の方法。
【請求項８】
前記特定の隣接周波数の優先順位は、前記隣接周波数に特定して設定される、請求項１に記載の方法。
【請求項９】
前記分散パラメータは、システム情報ブロックを介して受信される、請求項１に記載の方法。
【請求項１０】
無線通信システムにおける周波数測定（Ｆｒｅｑｕｅｎｃｙ  Ｍｅａｓｕｒｅｍｅｎｔ）を実行する端末において、
メモリと、
送受信機と、
前記メモリと前記送受信機を連結するプロセッサとを含み、
前記プロセッサは、
前記送受信機が、サービングセルから少なくとも一つの隣接周波数の優先順位を受信するように制御し、
前記送受信機が、前記サービングセルから、特定の隣接周波数に対する再分散要素（Ｒｅｄｉｓｔｒｉｂｕｔｉｏｎ  Ｆａｃｔｏｒ）と前記特定の隣接周波数に関連したセルのリストを含む、分散パラメータ（Ｄｉｓｔｒｉｂｕｔｉｏｎ  Ｐａｒａｍｅｔｅｒ）を受信するように制御し、
前記分散パラメータは前記特定の隣接周波数に対して設定され、
前記分散パラメータに基づいて、前記サービングセルの品質に関わらず、前記分散パラメータが設定される前記特定の隣接周波数に対する周波数測定を実行し、
前記特定の隣接周波数の優先順位は、前記サービングセルの属するサービング周波数の優先順位以下である、端末。
【請求項１１】
前記サービングセルの品質は、前記サービングセルのセル選択ＲＸレベル（Ｓｒｘｌｅｖ；Ｃｅｌｌ  ｓｅｌｅｃｔｉｏｎ  ＲＸ  ｌｅｖｅｌ）値及び前記サービングセルのセル選択品質（Ｓｑｕａｌ；Ｃｅｌｌ  ｓｅｌｅｃｔｉｏｎ  ｑｕａｌｉｔｙ）の少なくとも一つを含む、請求項１０に記載の端末。
【発明の詳細な説明】
【技術分野】
【０００１】
本発明は、無線通信システムに関し、より詳しくは、端末が周波数測定（Ｆｒｅｑｕｅｎｃｙ  Ｍｅａｓｕｒｅｍｅｎｔ）を実行する方法及びこれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
セルラー（ｃｅｌｌｕｌａｒ）は、サービス地域の制限、周波数及び加入者受け入れ容量の限界を克服するために提案された概念である。これは高出力の単一基地局を低出力の多数基地局に変えて通話圏を提供する方式である。即ち、移動通信サービス地域を複数個の小さいセル単位で分け、隣接したセルには各々異なる周波数を割り当て、互いに十分に遠く離れて干渉発生がない二つのセルでは同じ周波数帯域を使用することで空間的に周波数を再使用することができるようにした。
【０００４】
一方、セル内部のホットスポット（ｈｏｔｓｐｏｔ）のような特定地域では特別に多くの通信需要が発生し、セル境界（ｃｅｌｌ  ｅｄｇｅ）またはカバレッジホール（ｃｏｖｅｒａｇｅ  ｈｏｌｅ）のような特定地域では電波の受信感度が落ちることができる。無線通信技術の発達に応じて、ホットスポットや、セル境界、カバレッジホールのような地域で通信を可能にするための目的としてマクロセル（Ｍａｃｒｏ  Ｃｅｌｌ）内にスモールセル（ｓｍａｌｌ  ｃｅｌｌ）を設置することができる。ピコセル（Ｐｉｃｏ  Ｃｅｌｌ）、フェムトセル（Ｆｅｍｔｏ  Ｃｅｌｌ）、マイクロセル（Ｍｉｃｒｏ  Ｃｅｌｌ）などがスモールセルの一種である。スモールセルは、マクロセルの内部にまたは外部に位置できる。このとき、スモールセルは、マクロセルが到達しない位置または屋内または事務室などに位置できる。このようなネットワークを異種ネットワーク（Ｈｅｔｅｒｏｇｅｎｅｏｕｓ  Ｎｅｔｗｏｒｋ：ＨｅｔＮｅｔ）という。このとき、異種ネットワークが互いに異なる無線接続方式を使用する必要はない。異種ネットワーク環境において、マクロセルは、相対的にカバレッジが大きいセルであり、フェムトセルとピコセルのようなスモールセルは、カバレッジが小さいセルである。マクロセルとスモールセルは、同じトラフィック（ｔｒａｆｆｉｃ）を分散し、または各々異なるＱｏＳのトラフィックの送信を担当することができる。異種ネットワーク環境で多数のマクロセル及びスモールセル間にカバレッジ重複が発生できる。
【発明の概要】
【発明が解決しようとする課題】
【０００５】
周波数特定優先順位及び周波数に対する再分散確率に基づいて実行される負荷分散メカニズム（以下、ＦＰＰ（Ｆｒｅｑｕｅｎｃｙ  Ｐｒｉｏｒｉｔｙ  ｗｉｔｈ  Ｐｒｏｂａｂｉｌｉｔｙ）ベースのメカニズムという）は、個別搬送波間で負荷を分散させることができるが、セルレベルで負荷を分散させることを保障することができない。それに対し、セル特定優先順位に基づいて実行される負荷分散メカニズム（以下、ＣＳＰ（Ｃｅｌｌ  Ｓｐｅｃｉｆｉｃ  Ｐｒｉｏｒｉｔｙ）ベースのメカニズムという）は、セルレベルで負荷を分散させることができるが、互いに異なるセル間で負荷を部分的に分散させることを保障することができない。したがって、新しい負荷分散メカニズムが提案される必要がある。さらに、負荷分散のためのセルを検出するために周波数を測定する新しい基準が提案される必要がある。
【課題を解決するための手段】
【０００６】
一実施例において、無線通信システムにおける端末が周波数測定（Ｆｒｅｑｕｅｎｃｙ  Ｍｅａｓｕｒｅｍｅｎｔ）を実行する方法が提供される。前記端末は、分散パラメータ（Ｄｉｓｔｒｉｂｕｔｉｏｎ  Ｐａｒａｍｅｔｅｒ）をサービングセルから受信し、前記受信された分散パラメータに基づいて前記サービングセルのセル選択条件にかかわらず、サービング周波数の優先順位より小さいまたは同じ優先順位を有する隣接周波数に対して周波数測定を実行することを含む。
【０００７】
前記サービングセルのセル選択条件は、前記サービングセルのセル選択ＲＸレベル（Ｓｒｘｌｅｖ；Ｃｅｌｌ  ｓｅｌｅｃｔｉｏｎ  ＲＸ  ｌｅｖｅｌ）及び前記サービングセルのセル選択品質（Ｓｑｕａｌ；Ｃｅｌｌ  ｓｅｌｅｃｔｉｏｎ  ｑｕａｌｉｔｙ）が正数である条件である。
【０００８】
前記分散パラメータは、周波数別に設定された再分散要素（Ｒｅｄｉｓｔｒｉｂｕｔｉｏｎ  Ｆａｃｔｏｒ）を含む。前記周波数測定は、前記再分散要素が設定された周波数に対して実行される。前記隣接周波数は、インター（ｉｎｔｅｒ）周波数またはインターＲＡＴ周波数のうちいずれか一つである。前記隣接周波数は、前記再分散要素が設定された周波数である。前記サービング周波数は、前記サービングセルが属する周波数である。
【０００９】
前記分散パラメータは、周波数別に指定されたセルのリスト（Ｌｉｓｔ  ｏｆ  Ｓｐｅｃｉｆｉｅｄ  Ｃｅｌｌ）を含む。前記周波数測定は、前記指定されたセルが属する周波数に対して実行される。前記隣接周波数は、インター（ｉｎｔｅｒ）周波数またはインターＲＡＴ周波数のうちいずれか一つである。前記隣接周波数は、前記指定されたセルが属する周波数である。
【００１０】
前記分散パラメータは、周波数別に設定された周波数特定優先順位を含む。
【００１１】
前記分散パラメータは、システム情報ブロックを介して受信される。
【００１２】
他の実施例において、無線通信システムにおける周波数測定（Ｆｒｅｑｕｅｎｃｙ  Ｍｅａｓｕｒｅｍｅｎｔ）を実行する端末が提供される。前記端末は、メモリと、送受信機と、前記メモリと前記送受信機を連結するプロセッサとを含み、前記プロセッサは、前記送受信機が分散パラメータ（Ｄｉｓｔｒｉｂｕｔｉｏｎ  Ｐａｒａｍｅｔｅｒ）をサービングセルから受信するように制御し、前記受信された分散パラメータに基づいて前記サービングセルのセル選択条件にかかわらず、サービング周波数の優先順位より小さいまたは同じ優先順位を有する隣接周波数に対して周波数測定を実行するように構成される。
【００１３】
前記サービングセルのセル選択条件は、前記サービングセルのセル選択ＲＸレベル（Ｓｒｘｌｅｖ；Ｃｅｌｌ  ｓｅｌｅｃｔｉｏｎ  ＲＸ  ｌｅｖｅｌ）及び前記サービングセルのセル選択品質（Ｓｑｕａｌ；Ｃｅｌｌ  ｓｅｌｅｃｔｉｏｎ  ｑｕａｌｉｔｙ）が正数である条件である。
【発明の効果】
【００１４】
効率的なマルチキャリア負荷分散（Ｍｕｌｔｉｃａｒｒｉｅｒ  Ｌｏａｄ  Ｄｉｓｔｒｉｂｕｔｉｏｎ）が実行されることができる。
【図面の簡単な説明】
【００１５】
【図１】ＬＴＥシステムの構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】初期電源がオンになったＲＲＣアイドル状態の端末がセル選択過程を介してネットワークに登録し、必要な場合、セル再選択をする手順を示す。
【図５】異種ネットワークの一例を示す。
【図６】本発明の一実施例によって、端末がセル再選択を実行する方法を説明するための図面である。
【図７】本発明の一実施例によって、端末が指定されたセルを検出するための周波数測定方法を説明するための図面である。
【図８】本発明の一実施例によって、端末が周波数測定を実行する方法を示すブロック図である。
【図９】本発明の実施例が具現される無線通信システムのブロック図である。
【発明を実施するための形態】
【００１６】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１７】
説明を明確にするために、ＬＴＥ−Ａを中心に記述するが、本発明の技術的思想がこれに制限されるものではない。
【００１８】
図１は、ＬＴＥシステムの構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１９】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００２０】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００２１】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００２２】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００２３】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び商用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００２４】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多数関係（ｍａｎｙ−ｔｏ−ｍａｎｙ−ｒｅｌａｔｉｏｎ）をサポートする。
【００２５】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００２６】
図２は、制御平面に対するＬＴＥシステムの無線インターフェースプロトコルを示す。図３は、ユーザ平面に対するＬＴＥシステムの無線インターフェースプロトコルを示す。
【００２７】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２８】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２９】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連付けられるＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００３０】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００３１】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００３２】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００３３】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００３４】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００３５】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しない時、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００３６】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３７】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３８】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３９】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００４０】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連付けられて論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００４１】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００４２】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００４３】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００４４】
以下、端末のＲＲＣ状態（ＲＲＣ  ｓｔａｔｅ）とＲＲＣ接続方法に対して詳述する。
【００４５】
ＲＲＣ状態は、端末のＲＲＣ階層がＥ−ＵＴＲＡＮのＲＲＣ階層と論理的に連結されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている時、端末は、ＲＲＣ接続状態になり、そうでない場合、端末は、ＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、核心ネットワーク（ＣＮ；ｃｏｒｅ  ｎｅｔｗｏｒｋ）がセルより大きい領域であるトラッキング領域（ｔｒａｃｋｉｎｇ  ａｒｅａ）単位で端末を管理する。即ち、ＲＲＣ＿ＩＤＬＥの端末は、より大きい領域の単位で存在のみが把握され、音声またはデータ通信のような通常の移動通信サービスを受けるために、端末は、ＲＲＣ＿ＣＯＮＮＥＣＴＥＤに遷移しなければならない。
【００４６】
ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する間に、端末は、システム情報及びページング情報の放送を受信することができる。そして、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、どのようなＲＲＣ  ｃｏｎｔｅｘｔもｅＮＢに格納されない。
【００４７】
ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、ネットワークは、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接セルのためにセル測定を実行することができる。
【００４８】
ＲＲＣ＿ＩＤＬＥ状態で、端末は、ページングＤＲＸ周期を指定する。具体的に、端末は、端末特定ページングＤＲＸ周期毎の特定ページングオケージョン（ｐａｇｉｎｇ  ｏｃｃａｓｉｏｎ）にページング信号をモニタリングする。ページングオケージョンは、ページング信号が送信される間の時間間隔である。端末は、自分のみのページングオケージョンを有している。
【００４９】
ページングメッセージは、同じトラッキング領域に属する全てのセルにわたって送信される。もし、端末が一つのトラッキング領域から他の一つのトラッキング領域に移動すると、端末は、位置をアップデートするためにＴＡＵ（ｔｒａｃｋｉｎｇ  ａｒｅａ  ｕｐｄａｔｅ）メッセージをネットワークに送信する。
【００５０】
ユーザが端末の電源を最初オンにした時、まず、端末は、適切なセルを探索した後、該当セルでＲＲＣ＿ＩＤＬＥにとどまる。ＲＲＣ接続を確立する必要がある時、ＲＲＣ＿ＩＤＬＥ状態の端末は、ＲＲＣ接続手順を介してＥ−ＵＴＲＡＮのＲＲＣとＲＲＣ接続を確立してＲＲＣ＿ＣＯＮＮＥＣＴＥＤに遷移できる。ＲＲＣ＿ＩＤＬＥ状態の端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００５１】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功裏に実行されると、端末及びＭＭＥは、ＥＭＭ−ＲＥＧＩＳＴＥＲＥＤ状態となる。
【００５２】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のｃｏｎｔｅｘｔ情報を有していない。したがって、ＥＣＭ−ＩＤＬＥ状態の端末は、ネットワークの命令を受ける必要無しに、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順を介してネットワークに端末の該当位置を知らせる。
【００５３】
図４は、初期電源がオンになったＲＲＣアイドル状態の端末がセル選択過程を介してネットワークに登録し、必要な場合、セル再選択をする手順を示す。
【００５４】
図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することができ、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されていることを使用することもできる。
【００５５】
端末は、測定した基地局と信号強度や品質が特定の値より大きいセルの中から最も大きい値を有するセルを選択する（Ｃｅｌｌ  Ｓｅｌｅｃｔｉｏｎ）（Ｓ４２０）。これは電源がオンになった端末がセル選択を実行することであり、初期セル選択（ｉｎｉｔｉａｌ  ｃｅｌｌ  ｓｅｌｅｃｔｉｏｎ）ということができる。セル選択手順に対して以後に詳述する。セル選択以後、端末は、基地局が周期的に送るシステム情報を受信する。前記特定の値は、データ送／受信での物理的信号に対する品質の保証を受けるためにシステムで定義された値を意味する。したがって、その値は、適用されるＲＡＴによって異なる。
【００５６】
端末は、ネットワーク登録必要がある場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録をするものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録をする。
【００５７】
端末は、セルで提供されるサービス環境または端末の環境などに基づいてセル再選択を実行する（Ｓ４４０）。端末は、サービスを受けている基地局から測定した信号の強度や品質の値が隣接したセルの基地局から測定した値より低い場合、端末が接続した基地局のセルより良い信号特性を提供する他のセルの中から一つを選択する。この過程を２番過程の初期セル選択（Ｉｎｉｔｉａｌ  Ｃｅｌｌ  Ｓｅｌｅｃｔｉｏｎ）と区分するためにセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００５８】
以下、端末がセルを選択する方法及び手順に対して詳述する。
【００５９】
セル選択過程は、大いに、二つに分けられる。
【００６０】
まず、初期セル選択過程であって、この過程では前記端末が無線チャネルに対する事前情報がない。したがって、前記端末は、適切なセルを探すために全ての無線チャネルを検索する。各チャネルで、前記端末は、最も強いセルを探す。以後、前記端末がセル選択基準を満たす適切な（ｓｕｉｔａｂｌｅ）セルを探した時、該当セルを選択する。
【００６１】
次に、端末は、格納された情報を活用し、またはセルで放送している情報を活用してセルを選択することができる。したがって、初期セル選択過程に比べてセル選択が迅速である。端末がセル選択基準を満たすセルを探した時、該当セルを選択する。もし、この過程を介してセル選択基準を満たす適切なセルを探すことができない場合、端末は、初期セル選択過程を実行する。
【００６２】
前記端末がセル選択過程を介してどんなセルを選択した以後、端末の移動性または無線環境の変化などで、端末と基地局との間の信号の強度や品質が変わることができる。したがって、もし、選択したセルの品質が低下される場合、端末は、より良い品質を提供する他のセルを選択することができる。このようにセルを再び選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００６３】
無線信号の品質観点以外に、ネットワークは、周波数別に優先順位を決定して端末に知らせることができる。このような優先順位を受信した端末は、セル再選択過程でこの優先順位を無線信号品質基準より優先的に考慮するようになる。
【００６４】
前記のように無線環境の信号特性によってセルを選択または再選択する方法があり、セル再選択時、再選択のためのセルを選択するにあたって、セルのＲＡＴと周波数（ｆｒｅｑｕｅｎｃｙ）特性によって下記のようなセル再選択方法がある。
【００６５】
−イントラ周波数（Ｉｎｔｒａ−ｆｒｅｑｕｅｎｃｙ）セル再選択：端末がキャンプ（ｃａｍｐ）中であるセルと同じＲＡＴと同じ中心周波数（ｃｅｎｔｅｒ−ｆｒｅｑｕｅｎｃｙ）を有するセルを再選択
【００６６】
−インター周波数（Ｉｎｔｅｒ−ｆｒｅｑｕｅｎｃｙ）セル再選択：端末がキャンプ中であるセルと同じＲＡＴと異なる中心周波数を有するセルを再選択
【００６７】
−インターＲＡＴ（Ｉｎｔｅｒ−ＲＡＴ）セル再選択：端末がキャンプ中であるＲＡＴと異なるＲＡＴを使用するセルを再選択
【００６８】
セル再選択過程の原則は、下記の通りである。
【００６９】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００７０】
第二に、セル再選択は、セル再選択基準に基づいて実行される。セル再選択基準は、サービングセル及び隣接セル測定と関連して以下のような特性を有している。
【００７１】
イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序付ける作業である。最も良い指標を有するセルを一般的に最高順位セル（ｈｉｇｈｅｓｔ  ｒａｎｋｅｄ  ｃｅｌｌ）と呼ぶ。セル指標値は、端末が該当セルに対して測定した値を基本にして、必要によって周波数オフセットまたはセルオフセットを適用した値である。
【００７２】
インター周波数セル再選択は、ネットワークにより提供された周波数優先順位に基づいて行われる。端末は、最も高い周波数優先順位を有する周波数にとどまる（ｃａｍｐ  ｏｎ）するように試みる。ネットワークは、ブロードキャストシグナリング（ｂｒｏａｄｃａｓｔ  ｓｉｇｎａｌｉｎｇ）を介してセル内の端末が共通に適用する周波数優先順位を提供し、または、端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）ということができる。端末は、専用優先順位を受信すると、専用優先順位と関連付けられた有効時間（ｖａｌｉｄｉｔｙ  ｔｉｍｅ）を共に受信することができる。端末は、専用優先順位を受信すると、共に受信した有効時間として設定された有効性タイマ（ｖａｌｉｄｉｔｙ  ｔｉｍｅｒ）を開始する。端末は、有効性タイマが動作する間に、ＲＲＣアイドルモードで専用優先順位を適用する。有効性タイマが満了されると、端末は、専用優先順位を廃棄し、再び共用優先順位を適用する。
【００７３】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００７４】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００７５】
イントラ周波数またはインター周波数セル再選択のために、ネットワークは、端末にセル再選択に使われるセル再選択禁止リスト（ｂｌａｃｋ  ｌｉｓｔ）を端末に提供することができる。禁止リストに含まれているセルに対し、端末は、セル再選択を実行しない。
【００７６】
次に、セル再選択評価過程で実行するランキングに対して説明する。
【００７７】
セルの優先順位付けに使われるランキング指標（ｒａｎｋｉｎｇ  ｃｒｉｔｅｒｉｏｎ）は、数式１のように定義される。
【００７８】
【数１】
0006602962.tif 000002
【００７９】
ここで、Ｒｓはサービングセルのランキング指標であり、Ｒｎは隣接セルのランキング指標であり、Ｑｍｅａｓ、ｓは端末がサービングセルに対して測定した品質値であり、Ｑｍｅａｓ、ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００８０】
イントラ周波数で、端末がサービングセルと隣接セルとの間のオフセット（Ｑｏｆｆｓｅｔｓ、ｎ）を受信した場合にはＱｏｆｆｓｅｔ＝Ｑｏｆｆｓｅｔｓ、ｎであり、端末がＱｏｆｆｓｅｔｓ、ｎを受信しない場合にはＱｏｆｆｓｅｔ＝０である。
【００８１】
インター周波数で、端末が該当セルに対するオフセット（Ｑｏｆｆｓｅｔｓ、ｎ）を受信した場合、Ｑｏｆｆｓｅｔ＝Ｑｏｆｆｓｅｔｓ、ｎ＋Ｑｆｒｅｑｕｅｎｃｙであり、端末がＱｏｆｆｓｅｔｓ、ｎを受信しない場合、Ｑｏｆｆｓｅｔ＝Ｑｆｒｅｑｕｅｎｃｙである。
【００８２】
サービングセルのランキング指標（Ｒｓ）と隣接セルのランキング指標（Ｒｎ）が互いに類似している状態で変動すると、変動結果、ランキング順位が頻繁に変わって端末が二つのセルを交互に再選択することができる。Ｑｈｙｓｔは、セル再選択でヒステリシスを与え、端末が二つのセルを交互に再選択することを防止のためのパラメータである。
【００８３】
端末は、前記数式によってサービングセルのＲｓ及び隣接セルのＲｎを測定し、ランキング指標値が最も大きい値を有するセルを最高順位（ｈｉｇｈｅｓｔ  ｒａｎｋｅｄ）セルと見なし、このセルを再選択する。もし、再選択したセルが正規セル（ｓｕｉｔａｂｌｅ  ｃｅｌｌ）でない場合、端末は、該当周波数または該当セルをセル再選択対象から除外する。
【００８４】
以下、セル選択基準Ｓ（Ｃｅｌｌ  Ｓｅｌｅｃｔｉｏｎ  Ｃｒｉｔｅｒｉｏｎ  Ｓ）に対して説明する。
【００８５】
端末は、セル選択基準Ｓ（Ｃｅｌｌ  Ｓｅｌｅｃｔｉｏｎ  Ｃｒｉｔｅｒｉｏｎ  Ｓ）を満たす全てのセルに対してランキングを計算することができる。セル選択基準は、数式２のように定義されることができる。
【００８６】
【数２】
0006602962.tif 000003
【００８７】
Ｓｒｘｌｅｖは、セル選択ＲＸレベル値（Ｃｅｌｌ  ｓｅｌｅｃｔｉｏｎ  ＲＸ  ｌｅｖｅｌ ｖａｌｕｅ）（ｄＢ）を示し、下記数式３のように定義されることができる。Ｓｑｕａｌは、セル選択品質値（Ｃｅｌｌ  ｓｅｌｅｃｔｉｏｎ  ｑｕａｌｉｔｙ  ｖａｌｕｅ）（ｄＢ）を示し、下記数式４のように定義されることができる。
【００８８】
【数３】
0006602962.tif 000004
【００８９】
Ｑｒｘｌｅｖｍｅａｓは、前記端末がダウンリンクＲＸチャネルを実際測定したダウンリンク受信電力値であり、Ｑｒｘｌｅｖｍｉｎは、該当セルを選択するために要求される最小ダウンリンク受信電力の要求レベルであり、Ｑｒｘｌｅｖｍｉｎｏｆｆｓｅｔは、端末がＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）にあり、かつより高い優先順位のＰＬＭＮ（Ｐｕｂｌｉｃ  Ｌａｎｄ  Ｍｏｂｉｌｅ  Ｎｅｔｗｏｒｋ、通信事業者）を周期的に検索する時にのみＱｒｘｌｅｖｍｉｎに加えられる閾値であり、Ｐｃｏｍｐｅｎｓａｔｉｏｎは、アップリンクチャネル状態を考慮する閾値であり、Ｑｏｆｆｓｅｔｔｅｍｐは、セルに臨時的に適用されるオフセットである。
【００９０】
【数４】
0006602962.tif 000005
【００９１】
Ｑｑｕａｌｍｅａｓは、前記端末がダウンリンクＲＳチャネルを実測定した受信信号強度と実測定した総雑音の比を計算した値であり、Ｑｑｕａｌｍｉｎは、該当セルを選択するために要求される最小信号対雑音比のレベルであり、Ｑｑｕａｌｍｉｎｏｆｆｓｅｔは、端末がＶＰＬＭＮにあり、かつより高い優先順位のＰＬＭＮを周期的に検索（ｓｅａｒｃｈ）する時にのみＱｑｕａｌｍｉｎに加えられる閾値であり、Ｑｏｆｆｓｅｔｔｅｍｐは、セルに臨時的に適用されるオフセットである。
【００９２】
前記数式２を参照すると、ＳｒｘｌｅｖとＳｑｕａｌが両方とも０より大きい場合にセル選択基準を満たすことができる。即ち、端末は、測定したセルのＲＳＲＰとＲＳＲＱが両方とも一定水準以上である場合にセル選択のための基本的な可能性があるセルと判断できる。特に、Ｓｑｕａｌは、ＲＳＲＱに対応されるパラメータである。即ち、Ｓｑｕａｌは、単純にセルで測定されたパワーの大きさと関連付けられた値でないパワーの品質と関連付けられて計算された値である。Ｓｑｕａｌ＞０である場合にセルの品質側面でセル選択基準を満たすことができる。ＲＳＲＱに対するセル選択基準を満たすためには、測定されたＲＳＲＱがＱｑｕａｌｍｉｎとＱｑｕａｌｍｉｎｏｆｆｓｅｔを加えた程度以上でなければならない。
【００９３】
図５は、異種ネットワーク（Ｈｅｔｅｒｏｇｅｎｅｏｕｓ  Ｎｅｔｗｏｒｋ；ＨｅｔＮｅｔ）の一例を示す。
【００９４】
図５を参照すると、異種ネットワークは、多様な種類のセルが混在されて運営されるネットワークである。異種ネットワークには多くのノードが重なって存在し、代表的な例として、ピコセル（ｐｉｃｏ  ｃｅｌｌ）、マイクロセル（ｍｉｃｒｏ  ｃｅｌｌ）、フェムトセル（ｆｅｍｔｏ  ｃｅｌｌ）またはホーム基地局（ｈｏｍｅ  ｅＮＢ）などがある。スモールセルの用途が限定されたものではなく、一般的に、ピコセルは、データサービス要求が多い地域に設置することができ、フェムトセルは、室内事務室や家庭に設置することができ、無線中継器は、マクロセルのカバレッジを補完する用途で設置することができる。また、スモールセルは、接続制限によって特定ユーザのみが使用することができる閉鎖型（Ｃｌｏｓｅｄ  Ｓｕｂｓｃｒｉｂｅｒ  Ｇｒｏｕｐ、ＣＳＧ）と一般ユーザに接続を許容する開放型（ｏｐｅｎ  ａｃｃｅｓｓ）、そしてこの二つの方式を混合して使用するハイブリッド型（ｈｙｂｒｉｄ  ａｃｃｅｓｓ）に区分できる。
【００９５】
以下、異種ネットワーク環境で負荷を分散させる方法に対して説明する。
【００９６】
前記異種ネットワークには、複数の周波数が配置されることができる。例えば、周波数が異なるマクロセルが重なって配置されることができ、マクロセルの内部に周波数が異なるスモールセルが重なって配置されることができる。前記異種ネットワークに複数の周波数が配置された場合、ＲＲＣ＿ＩＤＬＥモード端末の再分散（Ｒｅｄｉｓｔｒｉｂｕｔｉｏｎ）を実行するために、ネットワークは、システム情報で搬送波（Ｃａｒｒｉｅｒ）周波数に対する分散パラメータ（例えば、周波数別再分散確率）を放送する必要がある。以後、ＲＲＣ＿ＩＤＬＥモード端末は、受信された分散パラメータによってＩＤＬＥモード移動を実行することができる。例えば、ネットワークがシステム情報を介して周波数別再分散確率を放送する場合、端末は、０〜１の均一な分布の値を任意に生成し、前記再分散確率に対応するセルでセル再選択を実行することができる。成功裏にＩＤＬＥモードへの移動のために、前記周波数別再分散確率の総和は１になる必要がある。
【００９７】
周波数特定優先順位及び該当周波数に対する再分散確率に基づいて負荷分散が実行されることができる。または、セル特定優先順位に基づいて負荷分散が実行されることができる。セル特定優先順位ベースの負荷分散方法は、従来周波数特定優先順位ベースの負荷分散方法の問題点を解決するために提案された方法のうち一つである。周波数特定優先順位は、周波数別に優先順位が設定され、それに対し、セル特定優先順位は、セル別に優先順位が設定されるという点が異なる。
【００９８】
本明細書において、周波数特定優先順位及び周波数に対する再分散確率に基づいて実行される負荷分散メカニズムは、ＦＰＰ（Ｆｒｅｑｕｅｎｃｙ  Ｐｒｉｏｒｉｔｙ  ｗｉｔｈ  Ｐｒｏｂａｂｉｌｉｔｙ）ベースのメカニズムという。そして、セル特定優先順位に基づいて実行される負荷分散メカニズムは、ＣＳＰ（Ｃｅｌｌ  Ｓｐｅｃｉｆｉｃ  Ｐｒｉｏｒｉｔｙ）ベースのメカニズムという。
【００９９】
ＦＰＰベースのメカニズムは、個別搬送波間で負荷を分散させることができる。ただし、ＦＰＰベースのメカニズムは、セルレベルで負荷を分散させることができない。それに対し、ＣＳＰベースのメカニズムは、セルレベルで負荷を分散させることができる。しかし、ＣＳＰベースのメカニズムは、互いに異なるセル間で端末を部分的に分散させることを保障することができない。したがって、セルレベルで負荷を分散させることができないＦＰＰベースのメカニズムと、異なるセルとの間で部分的な負荷分散を保障することができないＣＳＰベースのメカニズムの問題点を解決するために、新しい負荷分散メカニズムが提案される必要がある。
【０１００】
以下、本発明の一実施例によって、新しい負荷分散メカニズムに対して説明する。そして、端末が新しい負荷分散メカニズムに基づいてセル再選択を実行する方法及びこれをサポートする装置に対して説明する。また、端末がセル再選択のために周波数測定を実行する方法及びこれをサポートする装置に対して説明する。
【０１０１】
新しい負荷分散メカニズムは、周波数特定優先順位及び周波数に対する確率値に付加的に周波数に対して指定されたセル（Ｓｐｅｃｉｆｉｅｄ  Ｃｅｌｌ）のリストを考慮して負荷を分散させることができる。前記指定されたセルは、スモールセルである。本明細書において、付加的に周波数に対して指定されたセルのリストを含むＦＰＰは、Ｅ（Ｅｎｈａｎｃｅｄ）−ＦＰＰと定義される。前記Ｅ−ＦＰＰは、ＦＰＰに付加的に周波数に属する指定されたセルのリストを含むことができる。端末がＥ−ＦＰＰに設定されると、端末は、周波数に属する指定されたセルを検出する必要がある。そのために、端末は、前記指定されたセルが含まれている周波数を測定する必要がある。そして、端末は、指定されたセルで再選択が完了する必要があるかどうかを評価する必要がある。
【０１０２】
ただし、現在３ＧＰＰ  ＴＳ  ３６．３０４  ５．２．４．２‘Ｍｅａｓｕｒｅｍｅｎｔ  ｒｕｌｅｓ  ｆｏｒ  ｃｅｌｌ  ｒｅ−ｓｅｌｅｃｔｉｏｎ’に開示された測定規則によると、端末は、周波数測定を実行し、前記周波数測定は、サービング周波数とターゲット周波数との間の関連付けられた優先順位及びサービングセルの信号強度／品質により制御されると規定されている。即ち、Ｅ−ＦＰＰに設定された端末が周波数再選択優先順位を従来優先順位と考慮すると、端末は、前記指定されたセルを検出することができない。例えば、指定されたセルを含む周波数の優先順位が他の周波数の優先順位より低い場合、端末は、前記指定されたセルを含む周波数を測定することができず、また、前記指定されたセルを検出することができない。さらに、端末は、前記指定されたセルを測定することができない。したがって、端末が周波数を測定する方法が新しく提案される必要がある。
【０１０３】
図６は、本発明の一実施例によって、端末がセル再選択を実行する方法を説明するための図面である。
【０１０４】
（１）第１のステップ
【０１０５】
端末は、分散パラメータを受信することができる。
【０１０６】
前記分散パラメータは、角周波数に対するFPPである。すなわち、端末は、角周波数に対する周波数優先順位及び確率値を受信することができる。前記ＦＰＰは、ネットワークにより放送されることができる。前記ＦＰＰは、システム情報ブロックに含まれることができる。
【０１０７】
前記分散パラメータは、各周波数に対するＥ−ＦＰＰである。即ち、端末は、各周波数に対する周波数優先順位及び確率値を受信し、付加的に各周波数に属する指定されたセルのリストを受信することができる。前記Ｅ−ＦＰＰは、ネットワークにより放送されることができる。前記Ｅ−ＦＰＰは、システム情報ブロックに含まれることができる。本明細書において、前記確率値は、再分散要素（Ｒｅｄｉｓｔｒｉｂｕｔｉｏｎ  Ｆａｃｔｏｒ）または再分散確率と同じ概念で使われることができる。前記再分散確率は、意図された分散統計（ｉｎｔｅｎｄｅｄ  ｄｉｓｔｒｉｂｕｔｉｏｎ  ｓｔａｔｉｓｔｉｃｓ）から誘導されることができる。前記意図された分散統計は、再分散要素のセットである。前記再分散要素は、負荷分散を実行するためにネットワークから受信された周波数別再分散確率値である。または、前記再分散要素は、負荷分散を実行するためにネットワークから受信されたセル別再分散確率値である。
【０１０８】
例えば、前記分散パラメータは、下記のように提供されることができる。以下の例示は、分散パラメータの一例であり、本発明の技術的思想が下記の分散パラメータ値に限定されるものではない。
【０１０９】
−周波数優先順位：第１の周波数に対する周波数優先順位Ｐ１、第２の周波数に対する周波数優先順位Ｐ２、第ｎの周波数に対する周波数優先順位Ｐｎ
【０１１０】
−再分散要素：第１の周波数に対する再分散要素ｐ１、第２の周波数に対する再分散要素ｐ２、第ｎの周波数に対する再分散要素ｐｎ
【０１１１】
−指定されたセル：第２の周波数に対して第１のセル及び第２のセル、第３の周波数に対して第３のセル
【０１１２】
端末が前記分散パラメータを受信すると、端末は、各周波数に対する周波数優先順位、各周波数に対する再分散要素及び各周波数に属する指定されたセルを知ることができる。
【０１１３】
図６（ａ）を参照すると、前記分散パラメータは、下記のように提供されると仮定する。
【０１１４】
−周波数優先順位：第１の周波数に対する周波数優先順位Ｐ１、第２の周波数に対する周波数優先順位Ｐ２、第３の周波数に対する周波数優先順位Ｐ３、第４の周波数に対する周波数優先順位Ｐ４（周波数優先順位：Ｐ２＞Ｐ４＞Ｐ１＞Ｐ３）
【０１１５】
−再分散要素：第１の周波数に対する再分散要素０．２、第２の周波数に対する再分散要素０．５、第３の周波数に対する再分散要素０．１、第４の周波数に対する再分散要素０．２
【０１１６】
−指定されたセル：第２の周波数に対して第１のスモールセル及び第２のスモールセル、第４の周波数に対して第３のスモールセル
【０１１７】
（２）第２のステップ
【０１１８】
端末が前記分散パラメータを受信すると、端末は、受信された分散パラメータによって負荷バランシングメカニズムを開始することができる。各端末は、０〜１の均一に分布した値を任意に選択できる。そして、各端末は、第１の周波数〜第ｎの周波数で任意に選択された値と関連付けられた搬送波周波数を選択することができる。端末が第１の周波数に再分散される確率はｐ１％であり、第２の周波数に再分散される確率はｐ２％であり、第ｎの周波数に再分散される確率はｐｎ％である。
【０１１９】
図６（ｂ）を参照すると、例えば、端末が選択したランダム値が０．３の場合、端末は、第２の周波数を選択することができる。例えば、端末が選択したランダム値が０．１２の場合、端末は、第１の周波数を選択することができる。以下、二つのケースを仮定して端末のセル再選択手順を説明する。
【０１２０】
１）第１のケース：第１の端末及び第２の端末が選択したランダム値が０．３５と仮定する。したがって、第１の端末及び第２の端末は、第２の周波数を選択することができる。
【０１２１】
２）第２のケース：第１の端末及び第２の端末が選択したランダム値が０．７５と仮定する。したがって、第１の端末及び第２の端末は、第３の周波数を選択することができる。
【０１２２】
（３）第３のステップ
【０１２３】
端末は、分散パラメータに基づいてセル再選択を実行することができる。もし、選択された周波数レイヤ（ｌａｙｅｒ）でベストセルにランクされたセルを端末が認知する場合、端末は、前記選択された周波数を最も高い優先順位と考慮することができる。前記選択された周波数レイヤに属する指定されたセルの場合、もし、端末が前記選択された周波数レイヤでベストランキングを有する指定されたセルを検出及び測定する場合、端末は、前記指定されたセルを再選択することができる。もし、指定されたセルのリストがないと知られた選択された周波数レイヤで端末がセルを検出及び測定する場合、端末は、前記セルを再選択することができる。
【０１２４】
１−１）第１のケースで第１の端末の動作：第２の周波数を選択した第１の端末がベストセルにランクされた第１のスモールセルを認知すると、第１の端末は、第２の周波数を最も高い優先順位と考慮することができる。端末は、第２の周波数で指定された第１のスモールセルを検出及び測定したため、端末は、指定された第１のスモールセルを再選択することができる。
【０１２５】
１−２）第１のケースで第２の端末の動作：第２の周波数を選択した第２の端末は、第１のスモールセルを認知することができない。即ち、第２の周波数を選択した第２の端末は、指定されたセルを検出することができない。したがって、第２の端末は、既存の第１のマクロセルにとどまることができる。
【０１２６】
２）第２のケースで第１の端末及び第２の端末の動作：第３の周波数は、指定されたセルを含まない。したがって、第１の端末は、指定されたセルがない第３の周波数で第３のマクロセルを検出及び測定すると、第３のマクロセルを再選択することができる。第２の端末は、指定されたセルがない第３の周波数で第３のマクロセルを検出及び測定すると、 第３のマクロセルを再選択することができる。
【０１２７】
前記手順によって、端末が周波数優先順位、再分散要素及び周波数に属する指定されたセルのリストに基づいてセル再選択を実行すると、セル単位の負荷分散が難しいＦＰＰベースのメカニズムの短所及び異なるセル間で部分的な負荷分散を保障することができないＣＳＰベースのメカニズムの短所を補完することができる。
【０１２８】
以下、本発明の一実施例によって、端末がサービング周波数の優先順位より低いまたは同じ優先順位を有する隣接周波数に対して周波数測定を実行する方法に対して説明する。
【０１２９】
前記数式２で定義されたサービングセルのセル選択基準が満たされても、端末は、分散パラメータが設定された隣接周波数に対して周波数測定を実行することができる。前記隣接周波数は、インター周波数またはインターＲＡＴ周波数のうちいずれか一つである。前記隣接周波数の優先順位は、サービング周波数の優先順位より小さいまたは同じである。
【０１３０】
前記分散パラメータは、ｒｅｄｉｓｔｒｉｂｕｔｉｏｎＩｎｔｅｒＦｒｅｑＩｎｆｏである。前記ｒｅｄｉｓｔｒｉｂｕｔｉｏｎＩｎｔｅｒＦｒｅｑＩｎｆｏは、周波数別再分散要素を含むことができる。前記ｒｅｄｉｓｔｒｉｂｕｔｉｏｎＩｎｔｅｒＦｒｅｑＩｎｆｏは、特定周波数に属するセルのリストを含むことができる。ｒｅｄｉｓｔｒｉｂｕｔｉｏｎＩｎｔｅｒＦｒｅｑＩｎｆｏは、セル別再分散要素を含むことができる。
【０１３１】
前記分散パラメータは、各周波数に対するＦＰＰである。前記ＦＰＰは、周波数別優先順位及び周波数別再分散要素を含むことができる。
【０１３２】
前記分散パラメータは、各周波数に対するＥ−ＦＰＰである。前記Ｅ−ＦＰＰは、周波数別優先順位、周波数別再分散要素及び周波数別指定されたセルのリストを含むことができる。前記指定されたセルのリストは、該当周波数に指定されたセルが存在する場合にのみ付加的に含まれることができる。
【０１３３】
（１）再分散要素が設定される場合
【０１３４】
端末は、サービングセルがセル選択基準を満たすかどうかにかかわらず、前記再分散要素が設定された隣接周波数に対する測定を実行することができる。前記隣接周波数は、インター周波数またはインターＲＡＴ周波数のうちいずれか一つである。前記隣接周波数の優先順位は、サービング周波数の優先順位より小さいまたは同じである。前記セル選択基準は、前記数式２のように定義されることができる。
【０１３５】
したがって、隣接周波数の優先順位がサービング周波数の優先順位より小さいまたは同じであり、サービングセルがセル選択基準を満たしても、端末は、前記再分散要素が設定された隣接周波数に対する周波数測定を実行することができる。それによって、サービングセルがセル選択基準を満たしても、端末は、サービングセルが属するサービング周波数より小さいまたは同じ優先順位を有する隣接周波数に属するセルを検出することができる。
【０１３６】
（２）指定されたセルのリストが設定される場合
【０１３７】
端末は、サービングセルがセル選択基準を満たすかどうかにかかわらず、前記指定されたセルのリストが設定された隣接周波数に対する測定を実行することができる。前記隣接周波数は、インター周波数またはインターＲＡＴ周波数のうちいずれか一つである。前記隣接周波数の優先順位は、サービング周波数の優先順位より小さいまたは同じである。前記セル選択基準は、前記数式２のように定義されることができる。
【０１３８】
したがって、隣接周波数の優先順位がサービング周波数の優先順位より小さいまたは同じであり、サービングセルがセル選択基準を満たしても、端末は、前記指定されたセルのリストが設定された隣接周波数に対する周波数測定を実行することができる。それによって、サービングセルがセル選択基準を満たしても、端末は、サービングセルが属するサービング周波数より小さいまたは同じ優先順位を有する隣接周波数に属するセルを検出することができる。
【０１３９】
（３）セル特定優先順位が設定される場合
【０１４０】
端末は、サービングセルがセル選択基準を満たすかどうかにかかわらず、セル特定優先順位が設定された隣接周波数に対する測定を実行することができる。前記隣接周波数は、インター周波数またはインターＲＡＴ周波数のうちいずれか一つである。前記隣接周波数の優先順位は、サービング周波数の優先順位より小さいまたは同じである。前記セル選択基準は、前記数式２のように定義されることができる。前記セル特定優先順位は、前記隣接周波数の周波数優先順位より高い。
【０１４１】
したがって、隣接周波数の優先順位がサービング周波数の優先順位より小さいまたは同じであり、サービングセルがセル選択基準を満たしても、端末は、前記セル特定優先順位が設定された隣接周波数に対する周波数測定を実行することができる。前記セル特定優先順位は、前記隣接周波数の周波数優先順位より高い。それによって、サービングセルがセル選択基準を満たしても、端末は、サービングセルが属するサービング周波数より小さいまたは同じ優先順位を有する隣接周波数に属するセルを検出することができる。
【０１４２】
図７は、本発明の一実施例によって、端末が指定されたセルを検出するための周波数測定方法を説明するための図面である。
【０１４３】
（１）第１のステップ
【０１４４】
端末は、ネットワークから分散パラメータを受信することができる。図７を参照すると、端末は、第１のマクロセルにキャンプオン中である。端末は、ＲＲＣ＿ＩＤＬＥ状態である。端末は、分散パラメータを受信することができる。前記分散パラメータは、下記のように提供されると仮定する。前記分散パラメータは、システム情報に含まれて第１のマクロセルにより放送されることができる。
【０１４５】
−周波数優先順位：第１の周波数に対する周波数優先順位Ｐ１、第２の周波数に対する周波数優先順位Ｐ２、第３の周波数に対する周波数優先順位Ｐ３（周波数優先順位：Ｐ１＞Ｐ２＞Ｐ３）
【０１４６】
−再分散要素：第１の周波数に対する再分散要素０．３、第２の周波数に対する再分散要素０．５、第３の周波数に対する再分散要素０．２
【０１４７】
−指定されたセル：第２の周波数に対して第１のスモールセル及び第２のスモールセル
【０１４８】
（２）第２のステップ
【０１４９】
端末が前記分散パラメータをネットワークから受信すると、端末は、どの周波数が指定されたセルを含むかを評価することができる。図７を参照すると、端末は、第２の周波数が第１のスモールセル及び第２のスモールセルを含むことを知ることができる。また、端末は、第１の周波数及び第３の周波数が指定されたセルを含まないことを知ることができる。
【０１５０】
（３）第３のステップ
【０１５１】
端末は、再分散要素が設定された隣接周波数に対して周波数測定を実行することができる。前記再分散要素が設定された隣接周波数は、ｒｅｄｉｓｔｒｉｂｕｔｉｏｎＩｎｔｅｒＦｒｅｑＩｎｆｏが設定されたインター周波数またはインターＲＡＴ周波数のうちいずれか一つである。端末は、サービングセルがセル選択基準を満たすかどうかにかかわらず、再分散要素が設定された隣接周波数に対する測定を実行することができる。したがって、隣接周波数の優先順位がサービング周波数の優先順位より小さいまたは同じであり、サービングセルがセル選択基準を満たしても、端末は、隣接周波数に対する周波数測定を実行することができる。前記セル選択基準は、前記数式２のように定義されることができる。それによって、サービングセルがセル選択基準を満たしても、端末は、サービングセルより小さいまたは同じ優先順位を有する隣接周波数に属するセルを検出することができる。
【０１５２】
または、端末が周波数に対して指定されたセルのリストを検出すると、端末は、前記周波数に対して緩和された測定性能要求（ｒｅｄｕｃｅｄ  ｍｅａｓｕｒｅｍｅｎｔ  ｐｅｒｆｏｒｍａｎｃｅ  ｇｒｏｕｐ）を適用することができる。
【０１５３】
または、端末が周波数に対して指定されたセルのリストを検出すると、端末は、サービングセルの信号強度条件（Ｓｒｘｌｅｖ＞ＳｎｏｎＩｎｔｒａＳｅａｒｃｈＰ及びＳｑｕａｌ＞ＳｎｏｎＩｎｔｒａＳｅａｒｃｈＱ）にかかわらず、小さいまたは同じ優先順位の周波数に対しても測定を実行することができる。
【０１５４】
端末がネットワークにより設定されたセル特定優先順位の設定を受ける場合にも、指定されたセルを検出するための周波数測定方法が適用されることができる。端末がネットワークにより設定されたセル特定優先順位を受信すると、端末は、周波数のセル特定優先順位及び周波数の周波数特定優先順位によって周波数に対して緩和された測定性能要求を適用することができる。または、端末がネットワークにより設定されたセル特定優先順位を受信すると、端末は、周波数のセル特定優先順位及び周波数の周波数特定優先順位によってサービングセルの信号強度条件（Ｓｒｘｌｅｖ＞ＳｎｏｎＩｎｔｒａＳｅａｒｃｈＰ及びＳｑｕａｌ＞ＳｎｏｎＩｎｔｒａＳｅａｒｃｈＱ）にかかわらず、小さいまたは同じ優先順位の周波数に対しても測定を実行することができる。具体的に、周波数のセル特定優先順位が周波数の周波数特定優先順位より高い場合、端末は、周波数に対して緩和された測定性能要求を適用することができる。または、周波数のセル特定優先順位が周波数の周波数特定優先順位より高い場合、端末は、サービングセルの信号強度条件（Ｓｒｘｌｅｖ＞ＳｎｏｎＩｎｔｒａＳｅａｒｃｈＰ及びＳｑｕａｌ＞ＳｎｏｎＩｎｔｒａＳｅａｒｃｈＱ）にかかわらず、小さいまたは同じ優先順位の周波数に対しても測定を実行することができる。
【０１５５】
図７を参照すると、端末は、再分散要素が設定された第１の周波数、第２の周波数及び第３の周波数に対して周波数測定を実行することができる。前記周波数測定に第１のマクロセルが前記セル選択基準を満たすかどうかは考慮されない。例えば、第１のマクロセルが前記セル選択基準を満たさない場合、端末は、低い優先順位を有する第２の周波数及び第３の周波数に対する測定を実行することができる。第１のマクロセルが前記セル選択基準を満たしても、端末は、低い優先順位を有する第２の周波数及び第３の周波数に対する測定を実行することができる。即ち、端末は、サービングセルがセル選択基準を満たすかどうかにかかわらず、ｒｅｄｉｓｔｒｉｂｕｔｉｏｎＩｎｔｅｒＦｒｅｑＩｎｆｏ.が設定された周波数に対して周波数測定を実行することができる。したがって、端末は、第２の周波数に属する指定されたセル（例えば、第１のスモールセル及び第２のスモールセル）を検出することができる。従来、３ＧＰＰ  ＴＳ  ３６．３０４に明示された測定規則によると、サービングセルがセル選択基準を満たす場合、端末は、第１の周波数より優先順位が低い第２の周波数に属する第１のスモールセル及び第２のスモールセルを検出することができない。しかし、提案された方法によると、サービングセルがセル選択基準を満たす場合にも、端末は、第１の周波数より優先順位が低い第２の周波数に属する第１のスモールセル及び第２のスモールセルを検出することができる。
【０１５６】
または、端末が第２の周波数に指定されたセル（例えば、第１のスモールセル及び第２のスモールセル）があることを認知すると、端末は、第２の周波数に対して周波数測定を実行することができる。端末が分散パラメータを受信すると、前記端末は、第２の周波数に指定されたセルがあることを認知することができる。即ち、端末は、サービングセルがセル選択基準を満たすかどうかにかかわらず、ｒｅｄｉｓｔｒｉｂｕｔｉｏｎＩｎｔｅｒＦｒｅｑＩｎｆｏ.が設定された周波数に対して周波数測定を実行することができる。したがって、サービングセルがセル選択基準を満たす場合にも、端末は、第１の周波数より優先順位が低い第２の周波数に属する第１のスモールセル及び第２のスモールセルを検出することができる。
【０１５７】
図８は、本発明の一実施例によって、端末が周波数測定を実行する方法を示すブロック図である。
【０１５８】
図８を参照すると、ステップＳ８１０において、前記端末は、分散パラメータ（Ｄｉｓｔｒｉｂｕｔｉｏｎ  Ｐａｒａｍｅｔｅｒ）をサービングセルから受信することができる。
【０１５９】
前記分散パラメータは、システム情報ブロックを介して受信されることができる。
【０１６０】
ステップＳ８２０において、前記端末は、前記受信された分散パラメータに基づいて前記サービングセルのセル選択条件にかかわらず、サービング周波数の優先順位より小さいまたは同じ優先順位を有する隣接周波数に対して周波数測定を実行することができる。
【０１６１】
前記サービングセルのセル選択条件は、前記サービングセルのセル選択ＲＸレベル（Ｓｒｘｌｅｖ；Ｃｅｌｌ  ｓｅｌｅｃｔｉｏｎ  ＲＸ  ｌｅｖｅｌ）及び前記サービングセルのセル選択品質（Ｓｑｕａｌ；Ｃｅｌｌ  ｓｅｌｅｃｔｉｏｎ  ｑｕａｌｉｔｙ）が正数である条件である。
【０１６２】
前記サービング周波数は、前記サービングセルが属する周波数である。
【０１６３】
前記分散パラメータは、周波数別に設定された再分散要素（Ｒｅｄｉｓｔｒｉｂｕｔｉｏｎ  Ｆａｃｔｏｒ）を含むことができる。前記周波数測定は、前記再分散要素が設定された周波数に対して実行されることができる。前記隣接周波数は、インター（ｉｎｔｅｒ）周波数またはインターＲＡＴ周波数のうちいずれか一つである。前記隣接周波数は、前記再分散要素が設定された周波数である。
【０１６４】
前記分散パラメータは、周波数別に指定されたセルのリスト（Ｌｉｓｔ  ｏｆ  Ｓｐｅｃｉｆｉｅｄ  Ｃｅｌｌ）を含むことができる。前記周波数測定は、前記指定されたセルが属する周波数に対して実行されることができる。前記隣接周波数は、インター（ｉｎｔｅｒ）周波数またはインターＲＡＴ周波数のうちいずれか一つである。前記隣接周波数は、前記指定されたセルが属する周波数である。
【０１６５】
前記分散パラメータは、周波数別に設定された周波数特定優先順位を含むことができる。
【０１６６】
図９は、本発明の実施例が具現される無線通信システムのブロック図である。
【０１６７】
基地局９００は、プロセッサ（ｐｒｏｃｅｓｓｏｒ）９０１、メモリ（ｍｅｍｏｒｙ）９０２及び送受信機（ｔｒａｎｓｃｅｉｖｅｒ）９０３を含む。メモリ９０２は、プロセッサ９０１と連結され、プロセッサ９０１を駆動するための多様な情報を格納する。送受信機９０３は、プロセッサ９０１と連結され、無線信号を送信及び／または受信する。プロセッサ９０１は、提案された機能、過程及び／または方法を具現する。前述した実施例において、基地局の動作は、プロセッサ９０１により具現されることができる。
【０１６８】
端末９１０は、プロセッサ９１１、メモリ９１２及び送受信機９１３を含む。メモリ９１２は、プロセッサ９１１と連結され、プロセッサ９１１を駆動するための多様な情報を格納する。送受信機９１３は、プロセッサ９１１と連結され、無線信号を送信及び／または受信する。プロセッサ９１１は、提案された機能、過程及び／または方法を具現する。前述した実施例において、端末の動作は、プロセッサ９１１により具現されることができる。
【０１６９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１７０】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１７１】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
0006602962.tif 000006
【図２】
0006602962.tif 000007
【図３】
0006602962.tif 000008
【図４】
0006602962.tif 000009
【図５】
0006602962.tif 000010
【図６】
0006602962.tif 000011
【図７】
0006602962.tif 000012
【図８】
0006602962.tif 000013
【図９】
0006602962.tif 000014